(57)【特許請求の範囲】
【請求項１】
メインパートと、
前記メインパートの上面でスライド移動および水平に回転運動し、ディスプレイ部が上面に装着されたディスプレイパートと、
前記メインパートの底面で前記ディスプレイパートと反対方向にスライド移動および水平に回転運動し、上面に装着されて回転時に外部に露出される拡張キーパッドを含むキーパッドパートとを備える個人携帯端末機。
【請求項２】
前記メインパートと前記ディスプレイパートとの間には第１複合ヒンジ部が介在し、前記第１複合ヒンジ部は、前記メインパートに装着されてホールを含む第１回転ヒンジ部と、  前記第１回転ヒンジ部に装着される第１スライドガイドおよびディスプレイパートに装着される第１レールプレートを含む第１スライドヒンジ部とを含み、
前記メインパートと前記キーパッドパートとの間には第２複合ヒンジ部が介在し、前記第２複合ヒンジ部は、前記メインパートに装着されてホールを含む第２回転ヒンジ部と、前記第２回転ヒンジ部に装着される第２スライドガイドおよびディスプレイパートに装着される第２レールプレートを含む第２スライドヒンジ部とを含むことを特徴とする請求項１に記載の個人携帯端末機。
【請求項３】
前記第１スライドガイドは、前記第１レールプレートの両端を収容する第１収容溝を含み、
前記第２スライドガイドは、前記第２レールプレートの両端を収容する第２収容溝を含むことを特徴とする請求項２に記載の個人携帯端末機。
【請求項４】
前記第１回転ヒンジ部は前記メインパートに装着され、第１下部ホールを含む第１下部回転ヒンジおよび第１下部回転ヒンジに回転可能に装着され、前記第１下部ホールに対応して第１上部ホールを含む第１上部回転ヒンジを含み、
前記第２回転ヒンジ部は前記メインパートに装着され、第２下部ホールを含む第２下部回転ヒンジおよび第２下部回転ヒンジに回転可能に装着され、前記第２下部ホールに対応して第２上部ホールを含む第２上部回転ヒンジを含むことを特徴とする請求項２に記載の個人携帯端末機。
【請求項５】
前記メインパートの上面にはメインキーパッドを含むことを特徴とする請求項１に記載の個人携帯端末機。
【請求項６】
前記ディスプレイパートの上面にはメニューキーを含むことを特徴とする請求項１に記載の個人携帯端末機。
【発明の詳細な説明】
【技術分野】
【０００１】
本発明は、個人携帯端末機に関し、より詳しくは、スライドおよび回転方式の個人携帯端末機に関する。
【背景技術】
【０００２】
携帯電話は、外形や作動方式によって、一般的に、フリップ型、フォルダ型（folder−type）およびスライディング型（sliding−type）に区分される。このうち、スライディング型の携帯電話は、２つのスライディング本体を相互に重ねて配置し、スライディング本体それぞれにディスプレイ部およびキー入力部が同じ方向で配置する。一般的に、スライディング型の携帯電話は、前方のスライディング本体を相対的に移動させて後面に隠れたディスプレイ部またはキー入力部を露出させることができる。一例として、前方のスライディング本体を上に押し上げて後方のスライディング本体の前面に形成されたキー入力部を露出させることができるスライド型の携帯電話がある。
【０００３】
最近、ユーザは、個人携帯端末機の通信技術および記憶容量の巨大化によって映画および多様なゲーム機能を個人携帯端末機を介して楽しむことができるようになった。従って、一般的な電話機能だけでなく、ゲーム専用およびマルチメディアのための機能を含み、前記機能を具現するための多様な構造を有する携帯電話が研究および開発されている。
【０００４】
図１は、従来のスライディング型の携帯電話を説明するための斜視図である。
【０００５】
図１を参照すると、従来のスライディング型の携帯電話（１）は、上下に重なる上部スライディング本体（２０）および下部スライディング本体（１０）を含み、上部および下部スライディング本体（２０、１０）の間には両本体を連結するスライドヒンジ装置が介在して上部および下部スライディング本体（１０、２０）を相互連結しており、相互間のスライド移動（sliding）を補助することができる。上部スライディング本体（２０）の前面にはディスプレイ部（２５）、ゲーム方向キー（２８）およびゲームボタン（２６）が設置されており、下部スライディング本体（１０）の前面にはキー入力部（未図示）が形成されている。
【０００６】
しかし、従来のスライド型の携帯電話において、ユーザがゲーム機能を楽しむために、ディスプレイ部（２５）、ゲーム方向キー（２８）およびゲームボタン（２６）をすべて上部スライディング本体（２０）の前面に配置することによって、前面に提供されるディスプレイ部の面積が狭小し、ユーザが視覚を用いて長期間ゲームを楽しむ場合には目が疲れやすくなる恐れがあり、より生動感あるゲームサービスの利用が困難となる。
【０００７】
また、ユーザは、携帯電話に追加された多様なゲーム機能をより便利かつ自由に用いるために、更に広いキーパッド空間を確保したり新しいキーボタンの追加を必要としているが、従来のスライド型の携帯電話では新しいキーボタンの空間を提供することができず、ゲーム機能に符合する新しいキーパッドの提供も困難である。
【０００８】
また、ユーザが一般的な携帯電話機能のうち、電話機能を用いたり映画鑑賞およびゲーム機能を使用しようとする時に、それぞれの前記機能に最も適合した状態に携帯電話が構造的に変化することが従来の携帯電話においては不可能であったり困難であったりする。
【特許文献１】韓国特許１０−２００４−００６２１３１号明細書（２００４年７月７日公開）
【特許文献２】韓国特許１０−２００５−００５６６０９号明細書（２００５年６月１６日公開）
【特許文献３】韓国特許１０−２００５−００７０２２０号明細書（２００５年７月７日公開）
【特許文献４】特開２００５−６１５５９号公報（２００５年３月１０日公開）
【発明の開示】
【発明が解決しようとする課題】
【０００９】
本発明は、上述した問題点を解決するためのものであって、本発明は、個人携帯端末機に提供される電話機能、マルチメディア鑑賞およびゲーム機能などをユーザがより円滑かつ生動感あるように用いるために、個人携帯端末機が前記機能のような多様な機能に適合する構造に容易に変化することができる個人携帯端末機を提供することを目的とする。
【００１０】
また、ユーザが携帯電話に追加された多様なゲーム機能をより便利かつ自由に用いるために、更に広いキーパッド空間を確保したり新しいキーボタンの追加が容易である個人携帯端末機を提供することを他の目的とする。
【００１１】
また、従来の携帯電話に比べて更に広いディスプレイ部を提供し、ユーザが携帯電話を介して映画鑑賞およびゲーム機能を用いる時の目の疲労感を緩和することができ、より生動感あるゲームサービスを用いることができる個人携帯端末機を提供することを更に他の目的とする。
【課題を解決するための手段】
【００１２】
本発明の個人携帯端末機は、メインパート、ディスプレイパートおよびキーパッドパートを含み、メインパートの上部にはディスプレイパートが装着され、メインパートの下部にはキーパッドパートが装着される。それぞれのパートの間には第１および第２複合ヒンジ部が介在し、第１複合ヒンジ部を媒介として、メインパートの上部に置かれるディスプレイパートがメインパートと物理的に連結され、第２複合ヒンジ部を媒介として、メインパートの下部に置かれるキーパッドパートがメインパートと物理的に連結される。
【００１３】
また、第１複合ヒンジ部を媒介として、ディスプレイパートは、メインパートの上面でスライド移動および水平に回転運動をし、第２複合ヒンジ部を媒介として、キーパッドパートは、メインパートの底面でディスプレイパートと反対方向にスライド移動および水平に回転運動する。
【００１４】
メインパートの上面にはユーザが数字や文字などを入力することができるメインキーパッドが装着され、メインキーパッドはディスプレイパートのスライドおよび回転移動によって選択的に露出される。
【００１５】
ディスプレイパートの上面は常に外部に露出され、前記上面にはディスプレイ部が装着される。ユーザは、入力した数字や文字などをディスプレイ部を介して確認することができ、ゲームおよび映画などを楽しむことができる。また、ディスプレイ部と隣接したディスプレイパートの上面にはメニューキーが提供されることがあり、ユーザは前記メニューキーを用いて、電話受信、電話発信、映画の開始および終了命令などのような簡単な命令を入力することができる。
【００１６】
キーパッドパートの上面は、キーパッドパートのスライド移動および回転運動によって選択的に外部に露出され、前記上面には拡張キーパッドが装着される。一般的に、拡張キーパッドは、個人携帯端末機のゲーム機能のために提供される。
【００１７】
従って、本発明による個人携帯端末機は、電話機能、マルチメディア鑑賞およびゲーム機能などに最も適合した構造に変化することができるため、ユーザがより円滑かつ生動感あるように前記機能を用いることができる。また、広いキーパッド空間が提供され、ユーザが携帯電話に追加された多様なゲーム機能をより便利かつ自由に用いることができる。また、従来の携帯電話に比べて更に広いディスプレイ部を提供し、ユーザが携帯電話を介して映画鑑賞およびゲーム機能を用いる時の目の疲労感を緩和することができ、より生動感あるゲームサービスを用いることができる。
【００１８】
本明細書において、個人携帯端末機（Personal Portable Device）とは、ＰＤＣ（Personal Digital Cellular）フォン、ＰＣＳ（Personal Communication Service）フォン、ＰＨＳ（Personal Handyphone System）、ＣＤＭＡ−２０００（１Ｘ、３Ｘ）フォン、ＷＣＤＭＡ（Wideband CDMA）フォン、デュアルバンド／デュアルモード（Dual Band／Dual Mode）フォン、ＧＳＭ（Global Standard for Mobile）フォン、ＭＢＳ（Mobile Broadband System）フォン、ＤＭＢ（Digital Multimedia Broadcasting）フォン、携帯電話などのような移動通信機器、ＰＤＡ（Personal Digital Assistant）、ハンドヘルドＰＣ（Hand−Held PC）、ノート型パソコン、ワイブロ（WiBro）端末機、スマートフォン（Smart phone）、ＭＰ３プレーヤなどのような個人携帯端末機、および国際ローミング（Roaming）サービスと拡張した移動通信サービスを提供するＩＭＴ−２０００（International Mobile Telecommunication−２０００）端末機などを含むすべての種類のハンドヘルド基盤の無線通信装置を意味する携帯用電気電子装置であって、ＣＤＭＡ（Code Division Multiplexing Access）モジュール、ブルートゥースモジュール、赤外線通信モジュール（IrDA）、有無線LANカードおよびGPSを介した位置追跡を可能にするためのGPSチップが搭載された無線通信装置のような所定の通信モジュールを具備することができ、マルチメディア再生機能を遂行する所定のマイクロプロセッサを搭載することによって所定の演算能力を備えた端末機を通称する概念として用いられる。
【発明の効果】
【００１９】
本発明の個人携帯端末機は、電話機能、マルチメディア鑑賞およびゲーム機能などに最も適合した構造に変化することができるため、ユーザがより円滑かつ生動感あるように前記機能を用いることができる。
【００２０】
また、従来の携帯電話に比べて更に広いディスプレイ部を提供し、ユーザが携帯電話を介して映画鑑賞およびゲーム機能を用いる時の目の疲労感を緩和することができ、より生動感あるゲームサービスを用いることができる。
【００２１】
また、３つのキーパッドが提供され、従来の携帯電話のようにゲームボタンおよび方向キーが小さいために操作し難かった問題点を克服し、個人携帯端末機の多様な機能追加によるキーボタンを容易に追加することができる。
【００２２】
また、従来の携帯電話に比べて更に広いディスプレイ部を提供し、ユーザが個人携帯端末機に提供される映画鑑賞およびゲーム機能を用いる時の目の疲労感を緩和することができ、より生動感あるゲームサービスを用いることができる。
【００２３】
また、スライドおよび回転方式をすべて具現し、多様な方式の使用環境を用いることによって、ユーザに退屈を感じさせないようにする。
【発明を実施するための最良の形態】
【００２４】
以下、添付の図面を参照して、本発明の好ましい実施例を詳細に説明するが、本発明が実施例によって制限されたり限定されるものではない。
【００２５】
図２は、本発明の一実施例による個人携帯端末機を説明するための斜視図である。
【００２６】
図２を参照すると、本発明の個人携帯端末機（１００）は、メインパート（１１０）、ディスプレイパート（１２０）およびキーパッドパート（１３０）を含む。
【００２７】
メインパート（１１０）の上部にはディスプレイパート（１２０）が装着され、メインパート（１１０）の下部にはキーパッドパート（１３０）が装着される。それぞれのパートの間には第１および第２複合ヒンジ部（１４０、１６０）が介在し、第１複合ヒンジ部（１４０）を媒介として、メインパート（１１０）の上部に置かれるディスプレイパート（１２０）がメインパート（１１０）と物理的に連結され、第２複合ヒンジ部（１６０）を媒介として、メインパート（１１０）の下部に置かれるキーパッドパート（１３０）がメインパート（１１０）と物理的に連結される。
【００２８】
また、第１複合ヒンジ部（１４０）を媒介として、ディスプレイパート（１２０）は、メインパート（１１０）の上面でスライド移動および水平に回転運動し、第２複合ヒンジ部（１６０）を媒介として、キーパッドパート（１３０）は、メインパート（１１０）の底面でディスプレイパート（１２０）と反対方向にスライド移動および水平に回転運動する。
【００２９】
メインパート（１１０）の上面にはユーザが数字や文字などを入力することができるメインキーパッド（１１３）が装着され、メインキーパッド（１１３）は、ディスプレイパート（１２０）のスライドおよび回転移動によって選択的に露出される。
【００３０】
ディスプレイパート（１２０）の上面は常に外部に露出され、前記上面にはディスプレイ部（１２２）が装着される。ユーザは、ディスプレイ部（１２２）を介して入力した数字や文字などを確認することができ、ゲームおよび映画などを楽しむことができる。また、ディスプレイ部（１２２）と隣接したディスプレイパート（１２０）の上面にはメニューキー（１２３）が提供されることがあり、ユーザは前記メニューキー（１２３）を用いて、電話受信、電話発信および映画の開始および終了命令などのような簡単な命令を入力することができる。
【００３１】
キーパッドパート（１３０）の上面は、キーパッドパート（１３０）のスライド移動および回転運動によって選択的に外部に露出され、前記上面には拡張キーパッド（１３３）が装着される。一般的に、拡張キーパッド（１３３）は、個人携帯端末機（１００）のゲーム機能のために提供される。
【００３２】
図３は、本発明の一実施例による個人携帯端末機を説明するための斜視図である。
【００３３】
図３を参照すると、本発明の個人携帯端末機（１００）は、メインパート（１１０）、ディスプレイパート（１２０）およびキーパッドパート（１３０）を含み、ディスプレイパート（１２０）がメインパート（１１０）上面で上側方向（ａ）にスライド移動する。
【００３４】
ディスプレイパート（１２０）がメインパート（１１０）からスライド移動し、メインパート（１１０）上面に設けられたメインキーパッド（１１３）が外部に露出される。この場合、ユーザが一般的な通話をしたり数字や文字を入力するのに便利なキーパッド配列となる。
【００３５】
図４は、本発明の一実施例による個人携帯端末機を説明するための斜視図である。
【００３６】
図４を参照すると、本発明の個人携帯端末機（１００）は、メインパート（１１０）、ディスプレイパート（１２０）およびキーパッドパート（１３０）を含み、ディスプレイパート（１２０）がメインパート（１１０）上面で上側方向（ａ）にスライド移動した後、時計回り（ｂ）に回転運動する。勿論、ディスプレイパート（１２０）の回転方向は、時計回りおよび半時計回りのいずれの方向でもユーザが選択して回転させることができ、一般的に、左側９０度、右側９０度に回転可能に提供することができる。
【００３７】
この時は、ディスプレイ部（１２２）が横に配置される。このようなディスプレイ部（１２２）の配置は、個人携帯端末機（１００）の多様な機能のうち、特に、ＤＭＢ（Digital Multimedia Broadcasting）およびマルチメディアを用いる場合に便利なディスプレイ部（１２２）の配置となる。
【００３８】
図５は、本発明の一実施例による個人携帯端末機を説明するための斜視図である。
【００３９】
図５を参照すると、本発明の個人携帯端末機（１００）は、メインパート（１１０）、ディスプレイパート（１２０）およびキーパッドパート（１３０）を含み、キーパッドパート（１３０）がメインパート下面で下側方向にスライド移動した後、時計回りに回転運動する。勿論、キーパッドパート（１３０）の回転方向は、時計回りおよび半時計回りのいずれの方向でもユーザが選択して回転させることができ、一般的に、左側９０度、右側９０度に回転可能に提供することができる。
【００４０】
キーパッドパート（１３０）がメインパート（１１０）からスライド移動した後に回転運動し、キーパッドパート（１３０）の上面に設けられた拡張キーパッド（１３３）が外部に露出される。この場合、ユーザのゲーム使用が便利になる。
【００４１】
図６は、本発明の一実施例による個人携帯端末機を説明するための斜視図である。
【００４２】
図６を参照すると、ディスプレイパート（１２０）は、メインパート（１１０）上面で上側方向（ａ）にスライド移動した後、時計回り（ｂ）に回転運動する。キーパッドパート（１３０）は、メインパート下面で下側方向にスライド移動した後、時計回りまたは半時計回りに回転運動する。
【００４３】
このような場合にも、図５の個人携帯端末機のように、キーパッドパート（１３０）の上面に設けられた拡張キーパッド（１３３）が外部に露出され、ユーザのゲーム使用が便利になる。
【００４４】
図７は、本発明の一実施例による個人携帯端末機を説明するための断面図であり、図８は、第１複合ヒンジ部の分解斜視図である。
【００４５】
図７および図８を参照すると、本発明の個人携帯端末機（１００）は、メインパート（１１０）、ディスプレイパート（１２０）およびキーパッドパート（１３０）を含む。より詳細には、メインパート（１１０）の上部にはディスプレイパート（１２０）が装着され、メインパート（１１０）の下部にはキーパッドパート（１３０）が装着される。
【００４６】
メインパート（１１０）とディスプレイパート（１２０）との間には第１複合ヒンジ部（１４０）が介在し、メインパート（１１０）とキーパッドパート（１３０）との間には第２複合ヒンジ部（１６０）が介在する。
【００４７】
第１複合ヒンジ部（１４０）を媒介として、メインパート（１１０）の上部に置かれるディスプレイパート（１２０）がメインパート（１１０）と物理的に連結され、第２複合ヒンジ部（１６０）を媒介として、メインパート（１１０）の下部に置かれるキーパッドパート（１３０）がメインパート（１１０）と物理的に連結される。
【００４８】
また、第１複合ヒンジ部（１４０）を媒介として、ディスプレイパート（１２０）は、メインパート（１１０）の上面でスライド移動および水平に回転運動し、第２複合ヒンジ部（１６０）を媒介として、キーパッドパート（１３０）は、メインパート（１１０）の底面でディスプレイパート（１２０）と反対方向にスライド移動および水平に回転運動する。
【００４９】
メインパート（１１０）とディスプレイパート（１２０）との間に介在する第１複合ヒンジ部（１４０）は、第１回転ヒンジ部（１４５）および第１スライドヒンジ部（１５５）を含む。
【００５０】
更に詳しく説明すると、第１回転ヒンジ部（１４５）は、メインパート（１１０）に装着され、第１下部ホール（１４７）を含む第１下部回転ヒンジ（１４６）および第１下部回転ヒンジ（１４６）に回転可能に装着され、第１下部ホール（１４７）に対応して第１上部ホール（１４９）が形成された第１上部回転ヒンジ（１４８）を含む。
【００５１】
第１スライドヒンジ部（１５５）は、第１回転ヒンジ部（１４５）に装着される第１スライドガイド（１５６）およびディスプレイパート（１２０）に装着される第１レールプレート（１５８）を含む。第１スライドガイド（１５６）には、第１レールプレート（１５８）の両端を収容する第１収容溝（１５７）が形成される。従って、第１スライドガイド（１５６）は、第１収容溝（１５７）に案内されてスライド移動する。
【００５２】
この時、メインパート（１１０）とキーパッドパート（１３０）との間に介在する第２複合ヒンジ部（１６０）は、第２スライドヒンジ部（１７５）および第２回転ヒンジ部（１６５）を含む。
【００５３】
更に詳しく説明すると、第２回転ヒンジ部（１６５）は、メインパート（１１０）に装着されて第２下部ホール（１６７）を含む第２下部回転ヒンジ（１６６）および第２下部回転ヒンジ（１６６）に回転可能に装着され、第２下部ホール（１６７）に対応した第２上部ホール（１６９）を含む第２上部回転ヒンジ（１６８）を含む。
【００５４】
第２スライドヒンジ部（１７５）は、第２回転ヒンジ部（１６５）に装着される第２スライドガイド（１７６）およびディスプレイパート（１２０）に装着される第２レールプレート（１７８）を含む。第２スライドガイド（１７６）には、第２レールプレート（１７８）の両端を収容する第２収容溝（１７７）が形成される。従って、第２スライドガイド（１７６）は、第２収容溝（１７７）に案内されてスライド移動する。
【００５５】
参考までに、メインパート（１１０）およびディスプレイパート（１２０）は、第１下部ホール（１４７）および第１上部ホール（１４９）を通過して提供される軟性回路基板によって電気的に連結されることができ、メインパート（１１０）およびキーパッドパート（１３０）は、第２下部ホール（１６７）および第２上部ホール（１６９）を通過して提供される軟性回路基板によって電気的に連結されることができる。
【００５６】
上述したように、本発明の実施例を参照して説明したが、該当技術分野において熟練された当業者にとっては、添付の特許請求の範囲に記載された本発明の思想および領域から逸脱しない範囲内で、本発明の多様な修正および変更が可能であることを理解することができるであろう。
【図面の簡単な説明】
【００５７】
【図１】従来のスライディング型の携帯電話を説明するための斜視図である。
【図２】本発明の一実施例による個人携帯端末機を説明するための斜視図である。
【図３】本発明の一実施例による個人携帯端末機を説明するための斜視図である。
【図４】本発明の一実施例による個人携帯端末機を説明するための斜視図である。
【図５】本発明の一実施例による個人携帯端末機を説明するための斜視図である。
【図６】本発明の一実施例による個人携帯端末機を説明するための斜視図である。
【図７】本発明の一実施例による個人携帯端末機を説明するための断面図である。
【図８】本発明の一実施例による第１複合ヒンジ部の分解斜視図である。
【符号の説明】
【００５８】
１００            個人携帯端末機
１１０            メインパート
１１３            メインキーパッド
１２０            ディスプレイパート
１２３            メニューキー
１３０            キーパッドパート
１３３            拡張キーパッド
１４０            第１複合ヒンジ部
１４５            第１回転ヒンジ部
１４６            第１下部回転ヒンジ
１４８            第１上部回転ヒンジ
１５５            第１スライドヒンジ部
１５６            第１スライドガイド
１５８            第１レールプレート
１６０            第２複合ヒンジ部
１６５            第２回転ヒンジ部
１６６            第２下部回転ヒンジ
１６８            第１上部回転ヒンジ
１７５            第２スライドヒンジ部
１７６            第２スライドガイド
１７８            第２レールプレート
【図１】
0004773284.tif 000002
【図２】
0004773284.tif 000003
【図３】
0004773284.tif 000004
【図４】
0004773284.tif 000005
【図５】
0004773284.tif 000006
【図６】
0004773284.tif 000007
【図７】
0004773284.tif 000008
【図８】
0004773284.tif 000009